(57)【要約】【課題】ヒータ線を確実に保持し、組立性は現状と変わらず安全性の高いヒータ線装着部構造をもった除湿装置を提供することを目的とする。【解決手段】除湿ローターと、駆動手段と、除湿ローターを加熱する発熱手段と、吸湿風路と、放湿風路とを備え、発熱手段は、箱体と、複数のヒータ線装着部と、第１のヒータ線と第２のヒータ線とを有し、ヒータ線装着部は、板形状で除湿ローターの回転軸方向と平行に設けられ、除湿ローター側であるヒータ線装着部の一方側の辺側に円形状の第１の円形孔部と、ヒータ線装着部の他方側の辺側に円形状の第２の円形孔部とを有し、第１のヒータ線および第２のヒータ線は、螺旋状で、第１のヒータ線は、複数のヒータ線装着部の第１の円形孔部内を通して装着され、第２のヒータ線は、複数のヒータ線装着部の第２の円形孔部内を通して装着される構成としたことを特徴とする。【選択図】図１
2014121655.tif 000002
【特許請求の範囲】
【請求項１】
吸湿部と放湿部を有する円板状の除湿ローターと、この除湿ローターを回転させる駆動手段と、前記除湿ローターを加熱する発熱手段と、吸湿風路と、放湿風路とを備え、前記吸湿風路には、前記除湿ローターの前記吸湿部を設け、前記放湿風路には、前記除湿ローターの前記放湿部と、前記放湿部の風上側に設けた前記発熱手段とを備え、前記発熱手段は、空気を取り込む空気入口部と前記除湿ローターの前記放湿部に対向した開口部とを有する箱体と、この箱体内に固定された複数のヒータ線装着部と、このヒータ線装着部に装着された第１のヒータ線と第２のヒータ線とを有し、前記ヒータ線装着部は、板形状で前記除湿ローターの回転軸方向と平行に設けられ、前記除湿ローター側である前記ヒータ線装着部の一方側の辺側に円形状の第１の円形孔部と、前記ヒータ線装着部の他方側の辺側に円形状の第２の円形孔部とを有し、前記第１のヒータ線および前記第２のヒータ線は、螺旋状で、前記第１のヒータ線は、複数の前記ヒータ線装着部の前記第１の円形孔部内を通して装着され、前記第２のヒータ線は、複数の前記ヒータ線装着部の前記第２の円形孔部内を通して装着される構成としたことを特徴とする除湿装置。
【請求項２】
前記第１のヒータ線および前記第２のヒータ線の螺旋状のピッチは、前記ヒータ線装着部の板厚より小さいことを特徴とする請求項１に記載の除湿装置。
【請求項３】
前記第２の円形孔部から前記ヒータ線装着部の他方側の辺へ伸びた四角形状の第２の四角切欠部を設け、前記第２の四角切欠部の他方側の辺方向における寸法である第２の四角幅寸法は、前記第２のヒータ線の線径より大きく、前記第２のヒータ線の円形の螺旋状の外径より小さいことを特徴とする請求項２に記載の除湿装置。
【請求項４】
前記第１の円形孔部から前記ヒータ線装着部の一方側の辺へ伸びた四角形状の第１の四角切欠部を設け、前記第１のヒータ線の螺旋状のピッチは、前記ヒータ線装着部の板厚より小さく、前記第１の四角切欠部の他方側の辺方向における寸法である第１の四角幅寸法は、前記第１のヒータ線の線径より大きく、前記第１のヒータ線の円形の螺旋状の外径より小さく、前記第１の四角切欠部の第１の四角幅寸法の少なくとも一部が、前記第２の四角切欠部の第２の四角幅寸法より小さいことを特徴とする請求項３に記載の除湿装置。
【請求項５】
前記箱体内の両端に位置する２枚の前記ヒータ線装着部の間に位置する複数の前記ヒータ線装着部の前記第１の四角切欠部の第１の四角幅寸法は、前記箱体内の両端に位置する２枚の前記ヒータ線装着部の間に位置する複数の前記ヒータ線装着部の前記第２の四角切欠部の第２の四角幅寸法より小さく、前記箱体内の両端に位置する２枚の前記ヒータ線装着部の前記第１の四角切欠部の第１の四角幅寸法と前記第２の四角切欠部の第２の四角幅寸法とは、前記箱体内の両端に位置する２枚の前記ヒータ線装着部の間に位置する前記ヒータ線装着部の前記第２の四角切欠部の第２の四角幅寸法より小さい寸法であることを特徴とする請求項４に記載の除湿装置。
【請求項６】
前記箱体内の両端に位置する２枚の前記ヒータ線装着部の間に位置する複数の前記ヒータ線装着部の前記第１の四角切欠部の第１の四角幅寸法と、前記箱体内の両端に位置する２枚の前記ヒータ線装着部の前記第１の四角切欠部の第１の四角幅寸法と、前記第２の四角切欠部の第２の四角幅寸法とは、同じ寸法であることを特徴とする請求項５に記載の除湿装置。
【発明の詳細な説明】
【技術分野】
【０００１】
本発明は、室内空気を除湿する除湿装置に関するものである。
【背景技術】
【０００２】
従来、この種の除湿装置は、吸湿部と放湿部を有する円板状の除湿ローターと、この除湿ローターを回転させる駆動手段と、前記除湿ローターを加熱する発熱手段と、吸湿風路と、放湿風路とを備え、前記吸湿風路には、前記除湿ローターの前記吸湿部を設け、前記放湿風路には、前記除湿ローターの前記放湿部と、前記放湿部の風上側に設けた前記発熱手段とを備え、前記発熱手段は、空気を取り込む空気入口部と前記除湿ローターの前記放湿部に対向した開口部とを有する箱体と、この箱体内に固定された複数のヒータ線装着部と、このヒータ線装着部に装着された第１のヒータ線と第２のヒータ線とを有したものが知られている（例えば、特許文献１参照）。
【先行技術文献】
【特許文献】
【０００３】
【特許文献１】特開２００９−０９０２６１号公報
【発明の概要】
【発明が解決しようとする課題】
【０００４】
上記従来例における課題は、発熱手段のヒータ線をヒータ線装着部から更に外れ難くすることであった。
【０００５】
すなわち、除湿ローター側に面した発熱手段は、複数のヒータ線装着部の切欠部にヒータ線を装着している。ヒータ線は、切欠部から外れ難いものではあるが、この切欠部からヒータ線が外れると、ヒータ線は、ヒータ線装着部からはみ出して、除湿ローターを傷つけたり、回転する除湿ローターと発熱手段に挟まれ除湿ローターがロック状態になる可能性があるという課題があった。
【０００６】
そこで本発明は、上記従来の課題を解決するものであり、発熱手段のヒータ線がヒータ線装着部から更に外れ難い除湿装置を提供することを目的とする。
【課題を解決するための手段】
【０００７】
本発明の除湿装置は、吸湿部と放湿部を有する円板状の除湿ローターと、この除湿ローターを回転させる駆動手段と、前記除湿ローターを加熱する発熱手段と、吸湿風路と、放湿風路とを備え、前記吸湿風路には、前記除湿ローターの前記吸湿部を設け、前記放湿風路には、前記除湿ローターの前記放湿部と、前記放湿部の風上側に設けた前記発熱手段とを備え、前記発熱手段は、空気を取り込む空気入口部と前記除湿ローターの前記放湿部に対向した開口部とを有する箱体と、この箱体内に固定された複数のヒータ線装着部と、このヒータ線装着部に装着された第１のヒータ線と第２のヒータ線とを有し、前記ヒータ線装着部は、板形状で前記除湿ローターの回転軸方向と平行に設けられ、前記除湿ローター側である前記ヒータ線装着部の一方側の辺側に円形状の第１の円形孔部と、前記ヒータ線装着部の他方側の辺側に円形状の第２の円形孔部とを有し、前記第１のヒータ線および前記第２のヒータ線は、螺旋状で、前記第１のヒータ線は、複数の前記ヒータ線装着部の前記第１の円形孔部内を通して装着され、前記第２のヒータ線は、複数の前記ヒータ線装着部の前記第２の円形孔部内を通して装着された構成とし、前記第１のヒータ線および前記第２のヒータ線の螺旋状のピッチは、前記ヒータ線装着部の板厚より小さいことを特徴し、これにより初期の目的を達成するものである。
【発明の効果】
【０００８】
本発明によれば、吸湿部と放湿部を有する円板状の除湿ローターと、この除湿ローターを回転させる駆動手段と、前記除湿ローターを加熱する発熱手段と、吸湿風路と、放湿風路とを備え、前記吸湿風路には、前記除湿ローターの前記吸湿部を設け、前記放湿風路には、前記除湿ローターの前記放湿部と、前記放湿部の風上側に設けた前記発熱手段とを備え、前記発熱手段は、空気を取り込む空気入口部と前記除湿ローターの前記放湿部に対向した開口部とを有する箱体と、この箱体内に固定された複数のヒータ線装着部と、このヒータ線装着部に装着された第１のヒータ線と第２のヒータ線とを有し、前記ヒータ線装着部は、板形状で前記除湿ローターの回転軸方向と平行に設けられ、前記除湿ローター側である前記ヒータ線装着部の一方側の辺側に円形状の第１の円形孔部と、前記ヒータ線装着部の他方側の辺側に円形状の第２の円形孔部とを有し、前記第１のヒータ線および前記第２のヒータ線は、螺旋状で、前記第１のヒータ線は、複数の前記ヒータ線装着部の前記第１の円形孔部内を通して装着され、前記第２のヒータ線は、複数の前記ヒータ線装着部の前記第２の円形孔部内を通して装着された構成としたので、発熱手段のヒータ線がヒータ線装着部から更に外れ難い除湿装置を提供できる。
【図面の簡単な説明】
【０００９】
【図１】本発明の実施の形態１の除湿装置の概略断面図
【図２】同、除湿ローターと箱体の関係を示す斜視図
【図３】同、箱体の斜視図
【図４】同、ヒータ線とヒータ線装着部の関係を示す要部拡大図
【図５】本発明の実施の形態２の除湿装置のヒータ線とヒータ線装着部の関係を示す要部拡大図
【図６】本発明の実施の形態３の除湿装置のヒータ線とヒータ線装着部の関係を示す要部拡大図
【図７】本発明の実施の形態４の除湿装置のヒータ線と箱体内の両端に位置するヒータ線装着部の関係を示す要部拡大図
【図８】同、ヒータ線と箱体内の両端のヒータ線装着部の間に位置するヒータ線装着部の関係を示す要部拡大図
【図９】同、別方式の除湿装置の概略断面図
【発明を実施するための形態】
【００１０】
（実施の形態１）
以下本発明の一実施形態について添付図面を用いて説明する。
【００１１】
図１から図４に示すように、吸気口２と排気口３を有する本体１内部に、除湿ローター４と、駆動手段５と、発熱手段６と、吸湿風路７と、放湿風路８とを備えている。
【００１２】
除湿ローター４は、空気中の水分を吸着する円板状で、吸湿部４ａと放湿部４ｂを有する。
【００１３】
放湿風路８には、除湿ローター４の放湿部４ｂと、発熱手段６と、熱交換器９と、第１送風手段１１とを有している。除湿ローター４の放湿部４ｂの風上側には発熱手段６を備え、除湿ローター４の放湿部４ｂの風下側には熱交換器９を設けている。この熱交換器９と発熱手段６との間には、第１送風手段１１を有している。第１送風手段１１によって、発熱手段６、除湿ローター４、熱交換器９の順序に通過する空気を閉循環させる。
【００１４】
吸湿風路７には、吸気口２と、熱交換器９と、除湿ローター４の吸湿部４ａと、第２送風手段１２と、排気口３とを有している。
【００１５】
吸気口２の風下側には、第２送風手段１２を有し、第２送風手段１２の風下側には、排気口３を備えている。
【００１６】
吸気口２と第２送風手段１２との間には、熱交換器９、または除湿ローター４の吸湿部４ａとを備えている。
【００１７】
第２送風手段１２によって、吸気口２から吸い込まれた室内空気は、熱交換器９または除湿ローター４の吸湿部４ａを通過し、排気口３から本体１外へ送風される。
【００１８】
以上の構成における除湿動作について説明する。除湿運転を行なうときは、第２送風手段１２の送風運転により室内空気を吸引し、除湿ローター４の吸湿部４ａに水分を吸着させるとともに、熱交換器９を冷却して排気口３から乾燥空気を送出する。このとき第１送風手段１１により発熱手段６、除湿ローター４、熱交換器９の順序に通過する空気を閉循環させ、除湿ローター４の放湿部４ｂを加熱再生するとともに、熱交換器９にて高湿空気から結露水を回収している。
【００１９】
更に詳しく説明すると、まず、放湿風路８では、第１送風手段１１によって、発熱手段６へ送風された空気および除湿ローター４の放湿部４ｂは、発熱手段６により加熱される。
【００２０】
この加熱された空気が、除湿ローター４の放湿部４ｂへ送風され、この加熱された高温空気によって、除湿ローター４の湿気が放出され、高温高湿空気となる。ここで、除湿ローター４の放湿部４ｂが、空気中の湿気を吸湿可能な状態に再生される。この高温高湿空気は、熱交換器９で冷やされ、結露することにより除湿される。この除湿された空気が、再び発熱手段６へ送風される。駆動手段５が除湿ローター４を回転させ、再生された放湿部４ｂは吸湿部４ａとなる。
【００２１】
次に、吸湿風路７では、第２送風手段１２によって、吸気口２から吸い込まれた室内空気は、熱交換器９または除湿ローター４の吸湿部４ａを通過する。熱交換器９を通過することにより、熱交換器９が冷やされ、熱交換器９内で結露が発生する。一方、除湿ローター４の吸湿部４ａを通過することにより、空気中の湿気が吸湿され、除湿された空気となり、排気口３から本体１外へ送風される。これにより、室内の空気が除湿される。
【００２２】
発熱手段６は、箱体１５と、ヒータ線装着部１６と、第１のヒータ線１７と、第２のヒータ線１８とから構成している。
【００２３】
箱体１５は、お椀形状で、側面には空気を取り込む長方形の空気入口部１３と、除湿ローター４の放湿部４ｂに対向した略台形の開口部１４とを有する。第１送風手段１１によって、発熱手段６へ送風された空気は、空気入口部１３から箱体１５に入り、開口部１４から除湿ローター４の放湿部４ｂへ送風される。
【００２４】
ヒータ線装着部１６は、略長方形の板形状で除湿ローター４の回転軸方向と平行に、この箱体１５内に複数固定されている。ヒータ線装着部１６は、除湿ローター４の回転中心側の短辺側を扇形状の中心とし、複数枚並んでいる。
【００２５】
除湿ローター４側であるヒータ線装着部１６の一方側の辺側に円形状の孔である第１の円形孔部１９と、ヒータ線装着部１６の他方側の辺側に円形状の孔である第２の円形孔部２０とを複数有している。隣り合ったヒータ線装着部１６の第１の円形孔部１９は、複数の半径における円弧方向に並んでいる。
【００２６】
第２の円形孔部２０も同様に、隣り合ったヒータ線装着部１６に、複数の半径における円弧方向に並んでいる。
【００２７】
このヒータ線装着部１６の第１の円形孔部１９と第２の円形孔部２０とに、第１のヒータ線１７と第２のヒータ線１８とが装着されている。
【００２８】
放湿風路８に設けた発熱手段６は、第１のヒータ線１７と第２のヒータ線１８を備えた箱体１５の開口部１４から加熱空気と輻射熱を除湿ローター４へと供給される。
【００２９】
第１のヒータ線１７および第２のヒータ線１８は、螺旋状で、第１のヒータ線１７は、複数のヒータ線装着部１６の第１の円形孔部１９内を通して装着され、第２のヒータ線１８は、複数のヒータ線装着部１６の第２の円形孔部２０内を通して装着される。
【００３０】
これにより、発熱手段６としてのヒータ線である第１のヒータ線１７と第２のヒータ線１８は、ヒータ線装着部１６の第１の円形孔部１９内、または第２の円形孔部２０の孔内に装着されているので、ヒータ線装着部１６からヒータ線である第１のヒータ線１７と第２のヒータ線１８が外れ難くできる。
【００３１】
また、第１のヒータ線および第２のヒータ線の螺旋状のピッチは、ヒータ線装着部の板厚より小さいものである。これにより、第１のヒータ線および第２のヒータ線は、ヒータ線装着部からずれ難くすることができる。
【００３２】
（実施の形態２）
以下、本発明の実施の形態２における除湿装置について図面を参照しながら説明する。なお、実施の形態１の構成と同様の構成を有するものについては、同一符号を付してその説明を省略する。実施の形態１と相違する点は、ヒータ線装着部１６の形状である。図５は、ヒータ線装着部１６である。
【００３３】
本実施の形態の除湿装置のヒータ線装着部１６は、第２の円形孔部２０からヒータ線装着部１６の他方側の辺へ伸びた四角形状の第２の四角切欠部２２を設けている。つまり、丸形状の孔である第２の円形孔部２０と四角形状の切欠である第２の四角切欠部２２とが連結し、鍵穴形状の切欠きとなっている。
【００３４】
この第２の四角切欠部２２の他方側の辺方向における寸法である第２の四角幅寸法２４は、つまり、鍵穴形状の切欠きの開口部分の幅寸法は、第２のヒータ線１８の線径より大きく、第２のヒータ線１８の円形の螺旋状の外径より小さいものである。
【００３５】
すなわち、除湿ローター４側であるヒータ線装着部１６の一方側の辺側には、円形状の孔である第１の円形孔部１９を備え、除湿ローター４と反対側である発熱手段６の箱体１５側であるヒータ線装着部１６の他方側の辺側には、円形状の孔である第２の円形孔部２０と、この第２の円形孔部２０からヒータ線装着部１６の他方側の辺へ伸びた四角形状の第２の四角切欠部２２を設けている。
【００３６】
これにより、除湿ローター４側であるヒータ線装着部１６の一方側の辺側には、円形状の孔である第１の円形孔部１９のみを備えているので、第１のヒータ線１７は、ヒータ線装着部１６から外れ難くすることができる。
【００３７】
更に、除湿ローター４と反対側である発熱手段６の箱体１５側であるヒータ線装着部１６の他方側の辺側には、四角形状の第２の四角切欠部２２を設けているので、発熱手段６の箱体１５内の空気が、円形状の孔である第２の円形孔部２０だけなく、第２の四角切欠部２２内も介して移動できるので、第２のヒータ線１８の熱が、効率よく箱体１５内の空気に伝えることが出来る。
【００３８】
また、この第２の四角切欠部２２の他方側の辺方向における寸法である第２の四角幅寸法２４は、第２のヒータ線１８の線径より大きく、第２のヒータ線１８の円形の螺旋状の外径より小さいので、第２のヒータ線１８は、第２の四角切欠部２２から外れ難いものである。
【００３９】
また、第２の四角切欠部２２の他方側の辺方向における寸法である第２の四角幅寸法２４は、第２のヒータ線１８の線径より大きいので、この第２の四角切欠部２２を使って、第２のヒータ線１８を第２の円形孔部２０に挿入することが容易になる。
【００４０】
（実施の形態３）
以下、本発明の実施の形態３における除湿装置について図面を参照しながら説明する。なお、実施の形態２の構成と同様の構成を有するものについては、同一符号を付してその説明を省略する。実施の形態２と相違する点は、ヒータ線装着部１６の形状である。図６は、ヒータ線装着部１６である。
【００４１】
本実施の形態の除湿装置は、第１の円形孔部１９からヒータ線装着部１６の一方側の辺へ伸びた四角形状の第１の四角切欠部２１を設けている。
【００４２】
ここで、第１の四角切欠部２１の他方側の辺方向における寸法である第１の四角幅寸法２３は、第１のヒータ線１７の線径より大きく、第１のヒータ線１７の円形の螺旋状の外径より小さく、更に、第１の四角切欠部２１の第１の四角幅寸法２３の少なくとも一部が、第２の四角切欠部２２の第２の四角幅寸法２４より小さいものである。
【００４３】
すなわち、除湿ローター４側であるヒータ線装着部１６の一方側の辺側には、円形状の孔である第１の円形孔部１９と、この第１の円形孔部１９からヒータ線装着部１６の一方側の辺へ伸びた四角形状の第１の四角切欠部２１を備えている。
【００４４】
除湿ローター４と反対側である発熱手段６の箱体１５側であるヒータ線装着部１６の他方側の辺側には、円形状の孔である第２の円形孔部２０と、この第２の円形孔部２０からヒータ線装着部１６の他方側の辺へ伸びた四角形状の第２の四角切欠部２２を設けている。
【００４５】
ここで、第１の四角切欠部２１の第１の四角幅寸法２３の少なくとも一部が、第２の四角切欠部２２の第２の四角幅寸法２４より小さいものである。
【００４６】
これにより、この第１の四角切欠部２１の一方側の辺方向における寸法である第１の四角幅寸法２３は、第１のヒータ線１７の線径より大きく、第１のヒータ線１７の円形の螺旋状の外径より小さいので、第１のヒータ線１７は、第１の四角切欠部２１から外れ難いものである。
【００４７】
更に、第１の四角切欠部２１の第１の四角幅寸法２３の少なくとも一部が、第２の四角切欠部２２の第２の四角幅寸法２４より小さいので、除湿ローター４側である第１のヒータ線１７は、除湿ローター４と反対側である発熱手段６の箱体１５側である第２のヒータ線１８よりも外れ難いものである。
【００４８】
また、第１の四角切欠部２１の一方側の辺方向における寸法である第１の四角幅寸法２３は、第１のヒータ線１７の線径より大きいので、この第１の四角切欠部２１を使って、第１のヒータ線１７を第１の円形孔部１９に挿入することが容易になる。
【００４９】
（実施の形態４）
以下、本発明の実施の形態４における除湿装置について図面を参照しながら説明する。なお、実施の形態３の構成と同様の構成を有するものについては、同一符号を付してその説明を省略する。実施の形態３と相違する点は、箱体１５内の両端に位置する２枚のヒータ線装着部１６の形状である。図７は、箱体１５内の両端に位置する２枚のヒータ線装着部１６である。図８は、箱体１５内の両端に位置する２枚のヒータ線装着部１６の間に位置するヒータ線装着部１６である。
【００５０】
本実施の形態の除湿装置は、箱体１５内の両端に位置する２枚のヒータ線装着部１６の間に位置する複数のヒータ線装着部１６の第１の四角切欠部２１の第１の四角幅寸法２３は、箱体内の両端に位置する２枚のヒータ線装着部の間に位置する複数のヒータ線装着部１６の第２の四角切欠部２２の第２の四角幅寸法２４より小さいものである。
【００５１】
更に、箱体１５内の両端に位置する２枚のヒータ線装着部１６の第１の四角切欠部２１の第１の四角幅寸法２３と第２の四角切欠部２２の第２の四角幅寸法２４とは、箱体１５内の両端に位置する２枚のヒータ線装着部１６の間に位置するヒータ線装着部１６の第２の四角切欠部２２の第２の四角幅寸法２４より小さい寸法である。
【００５２】
具体的には、箱体１５内の両端に位置する２枚のヒータ線装着部１６の間に位置する複数のヒータ線装着部１６の第１の四角切欠部２１の第１の四角幅寸法２３と、箱体１５内の両端に位置する２枚のヒータ線装着部１６の第１の四角切欠部２１の第１の四角幅寸法２３と、第２の四角切欠部２２の第２の四角幅寸法２４とは、同じ寸法である。
【００５３】
すなわち、箱体１５内の両端に位置する２枚のヒータ線装着部１６の間に位置する複数のヒータ線装着部１６の第１の四角切欠部２１の第１の四角幅寸法２３と、箱体１５内の両端に位置する２枚のヒータ線装着部１６の第１の四角切欠部２１の第１の四角幅寸法２３と、第２の四角切欠部２２の第２の四角幅寸法２４とは、同じ寸法であると共に、箱体１５内の両端に位置する２枚のヒータ線装着部１６の間に位置する複数のヒータ線装着部１６の第２の四角切欠部２２の第２の四角幅寸法２４より小さいものである。
【００５４】
これにより、除湿ローター４側である第１のヒータ線１７は、除湿ローター４と反対側である発熱手段６の箱体１５側である第２のヒータ線１８よりも外れ難くできるものである。
【００５５】
箱体１５内の両端に位置する２枚のヒータ線装着部１６の部分では、箱体１５内の両端に位置する２枚のヒータ線装着部１６の間に位置する複数のヒータ線装着部１６の第１の四角切欠部２１の第１の四角幅寸法２３を同じ寸法もしくは小さくすることで、第１のヒータ線１７がターンする部分での固定を確実にすることで、第１のヒータ線１７の脱落を効果的に防止することができる。
【００５６】
箱体１５内の両端に位置する２枚のヒータ線装着部１６の部分では、箱体１５内の両端に位置する２枚のヒータ線装着部１６の間に位置する複数のヒータ線装着部１６の第２の四角切欠部２２の第２の四角幅寸法２４を同じ寸法もしくは小さくすることで、第２のヒータ線１８がターンする部分での固定を確実にすることで、第２のヒータ線１８の脱落を効果的に防止することができる。
【００５７】
なお、実施形態では円形孔部にて説明したが、形状はヒータ線を保持できれば良いので、多角形や楕円形等の様々なものでも同等の効果が期待でき、同様に四角切欠部についても、組立性を考慮しない場合は、四角切欠部のない円形または多角形および楕円形等の穴でも同等の効果を得ることができる。
【００５８】
また、実施形態では四角切欠部にて説明したが、形状はヒータ線を通すことができて抜け難くければ良いのでアーチ状の曲線や階段状形状等の形状でも同等の効果を得ることができる。
【００５９】
なお、図９で示す様なハイブリット方式の除湿機にも適用可能である。
【００６０】
本体１の側面に吸気口２を設け、天面に排気口３を設け、本体１内には圧縮機２５、蒸発器２６、凝縮器２７、キャピラリーチューブ２８からなる冷凍サイクルと、蒸発器２６と凝縮器２７の間に通風するための送風機２９が載置され、分離して配置された蒸発器２６と凝縮器２７はキャピラリーチューブ２８により連結されている。蒸発器２６の下部に配置される水受皿部３０のドレン水を溜める排水タンク３１を本体１下方に着脱可能に設けている。
【００６１】
上記構成において、除湿運転を行う場合は、吸気口２から室内空気を吸込み、凝縮器２７、発熱手段６、除湿ローター４の放湿部４ｂ、蒸発器２６、除湿ローター４の吸湿部４ａを順番に通過した風と、凝縮器２７を通過したそれぞれの風は、温風と冷風を混合した乾燥風となり、天面の排気口３から吹き出すことができる。
【産業上の利用可能性】
【００６２】
本発明によれば、吸湿部と放湿部を有する円板状の除湿ローターと、この除湿ローターを回転させる駆動手段と、前記除湿ローターを加熱する発熱手段と、吸湿風路と、放湿風路とを備え、前記吸湿風路には、前記除湿ローターの前記吸湿部を設け、前記放湿風路には、前記除湿ローターの前記放湿部と、前記放湿部の風上側に設けた前記発熱手段とを備え、前記発熱手段は、空気を取り込む空気入口部と前記除湿ローターの前記放湿部に対向した開口部とを有する箱体と、この箱体内に固定された複数のヒータ線装着部と、このヒータ線装着部に装着された第１のヒータ線と第２のヒータ線とを有し、前記ヒータ線装着部は、板形状で前記除湿ローターの回転軸方向と平行に設けられ、前記除湿ローター側である前記ヒータ線装着部の一方側の辺側に円形状の第１の円形孔部と、前記ヒータ線装着部の他方側の辺側に円形状の第２の円形孔部とを有し、前記第１のヒータ線および前記第２のヒータ線は、螺旋状で、前記第１のヒータ線は、複数の前記ヒータ線装着部の前記第１の円形孔部内を通して装着され、前記第２のヒータ線は、複数の前記ヒータ線装着部の前記第２の円形孔部内を通して装着された構成としたので、発熱手段のヒータ線がヒータ線装着部から更に外れ難い除湿装置を提供でき、家庭用はもとより、工場などに設置する工業用等の幅広い分野のヒータ線を用いた発熱手段を搭載した商品に適用できる。
【符号の説明】
【００６３】
１    本体
２    吸気口
３    排気口
４    除湿ローター
４ａ  吸湿部
４ｂ  放湿部
５    駆動手段
６    発熱手段
７    吸湿風路
８    放湿風路
９    熱交換器
１１    第１送風手段
１２    第２送風手段
１３    空気入口部
１４    開口部
１５    箱体
１６    ヒータ線装着部
１７    第１のヒータ線
１８    第２のヒータ線
１９    第１の円形孔部
２０    第２の円形孔部
２１    第１の四角切欠部
２２    第２の四角切欠部
２３    第１の四角幅寸法
２４    第２の四角幅寸法
２５    圧縮機
２６    蒸発器
２７    凝縮器
２８    キャピラリーチューブ
２９    送風機
３０    水受皿部
３１    排水タンク
【図１】
2014121655.tif 000003
【図２】
2014121655.tif 000004
【図３】
2014121655.tif 000005
【図４】
2014121655.tif 000006
【図５】
2014121655.tif 000007
【図６】
2014121655.tif 000008
【図７】
2014121655.tif 000009
【図８】
2014121655.tif 000010
【図９】
2014121655.tif 000011